(57)【要約】【課題】電線接続器の電線挿通孔に電線を挿入し易くしたり、細線がばらけてしまったりするのを効果的に防止すること。【解決手段】電線接続器５０は、外郭としてのハウジング５３と、ハウジング内所定箇所で回転軸５５ａを中心に自在に回転し軸方向への移動が抑制されているねじ５５と、このねじと螺合しねじ５５の回転方向に応じてハウジング内を往復動するスライダ５７と、電線５９をハウジング内に導入する導入孔６１と、スライダ５７が移動する方向に応じてスライダの往路側の壁面９１又は復路側の壁面９３と当接し時計回りに又は反時計回りに回動し、所定の位置で前記導入孔６１内の電線５９を押圧するカム６３とを有する。【選択図】図４
2008053238.tif 000002
【特許請求の範囲】
【請求項１】
ハウジング（５３）に設けられた導入孔（６１）内に電線（５９）を締結固着することにより実装された基板（６６）への電気的接続を可能とする電線接続器（５０）において、
ハウジング（５３）内でその円周方向の回転は許容されているが軸方向への変位が抑制されているねじ（５５）と、
前記ねじ（５５）と螺合する螺合孔（５７ａ）と凸部（８７）とを有し、前記ねじ（５５）の回転にともなってハウジング（５３）内を軸方向に変位するスライダ（５７）と、
ハウジング（５３）内に軸支され前記導入孔（６１）内の電線（５９）を押圧する押圧部（９０）と、
前記スライダ（５７）の凸部（８７）と適宜当接しつつ内包する凹部（９６）をその周面に有するカム（６３）とを具備し、
前記ねじ（５５）が回転されることによってスライダ（５７）が変位することによりその凸部（８７）がカム（６３）の凹部（９６）内を付勢し、以て前記押圧部（９０）により導入孔（６１）内の電線（５９）が押圧固着されることを特徴とする電線接続器。
【請求項２】
前記カム（６３）は、さらに平坦なストッパ部（９８）を、その周面上であって前記導入孔（６１）の内部に具備することにより、前記ねじ（５５）が回転される前の段階において電線（５９）が一定量挿入されるとそれ以上の電線の進行を阻止する請求項１記載の電線接続器。
【発明の詳細な説明】
【技術分野】
【０００１】
本発明は、電線接続器に関し、詳しくは、例えばシーケンサなどの電子装置内部に設けられているプリント基板へ電線を接続するのに用いられる電線接続器に関する。
【背景技術】
【０００２】
プリント基板に電線を接続するのに、ねじの軸部に電線を巻き、その状態でねじをプリント基板に螺合し、ねじのヘッド部座面とプリント基板表面との間で電線を挟持する技術が周知である。この場合、螺合時に、電線がねじの回転に伴って引きずられてしまうことがある。また引きずられたときに電線がねじからはみ出した状態にありかつねじの周辺近傍に他の導体があったとすると、当該他の導体と電線とが接触して短絡してしまう虞がある。そこで、例えば特開２０００−２６８８９８号公報は、ねじの代わりにカムを用いる技術を開示する。この公報開示の技術でもねじは使用されている。しかし、このねじはカムを電線に近づけさらなるねじの回転によりカムで電線を押圧するためのものであり、電線をプリント基板に直接接続するものではない。このようなカム機構は電子機器にその一部分として装着される電線接続器で用いられている。
【０００３】
上記公報開示の電線接続器は、外郭としてのハウジングと、ハウジング内に電線を導入するための電線挿通孔と、電線挿通孔によって案内された電線を押圧するカムと、カムを電線の押圧実行手段として機能させるねじと、ねじを回転するドライバが挿入される操作孔と、電子機器のプリント基板と接合する端子とを有する。
【０００４】
そして電線挿通孔からハウジング内に電線を挿通後、操作孔にドライバをさし込んでねじを回転すれば、ねじはその回転方向に応じて進退する。
【０００５】
ねじが進行する方向にねじを回転すればねじはやがてカムに当接しさらに同方向にねじを回転すれば電線はカムにより押圧される。カムによる電線の押圧箇所はプリント基板と結合される端子の一部である。よって電線は端子を介してプリント基板と電気的に接続される。
【特許文献１】特開２０００−２６８８９８号公報
【発明の開示】
【発明が解決しようとする課題】
【０００６】
ところで上記公報記載の技術では、電線とプリント基板との電気的接続を行う前等ねじが緩んでいる場合、すなわちカムがねじによって押圧されていない場合、カムはフリーの状態にある。よって、この状態で電線接続器を移動したり、電線接続器を電子機器に取り付けるべくその向きの変更や反転をしたりすると、カムはカム軸を中心に自重で回動してしまうことがある。するとカムが電線接続器の壁面等に当たってカムやハウジングが傷んだり、それらがぶつかった時に音を発したりする。またねじが緩んでカムが自重で回動してしまうと電線挿通孔がカムで遮られてしまうことがあり、必要十分に電線をハウジング内に挿入ができない場合がある。しかし電線挿通孔がカムで遮られているか否かは外部からは判別しづらい。このため、電線挿通孔がカムで遮蔽された状態にある場合でもそれを知らずに電線挿通孔に被覆が除去された電線の先端部を挿入すると、電線の撚り線又はこの撚り線を構成する細い電線（以下細線）がカムにより挿入が阻害され、挿入しづらかったり、細線の一体性が損われるいわゆるばらけが生じたりしてしまう。
【課題を解決するための手段】
【０００７】
本発明は前述の技術的課題を解決するために次のようにした。
【０００８】
本発明に係る電線接続器は、ハウジングに設けられた導入孔内に電線を締結固着することにより実装された基板への電気的接続を可能とする電線接続器であって、ハウジング内でその円周方向の回転は許容されているが軸方向への変位が抑制されているねじと、前記ねじと螺合する螺合孔と凸部とを有し、前記ねじの回転にともなってハウジング内を軸方向に変位するスライダと、ハウジング内に軸支され前記導入孔内の電線を押圧する押圧部と、前記スライダの凸部と適宜当接しつつ内包する凹部をその周面に有するカムとを具備し、前記ねじが回転されることによってスライダが変位することによりその凸部がカムの凹部内を付勢し、以て前記押圧部により導入孔内の電線が押圧固着されることを特徴として有する。
【０００９】
さらに本発明に係る電線接続器は、カムが平坦なストッパ部を、その周面上であって前記導入孔の内部に具備することにより、前記ねじが回転される前の段階において電線が一定量挿入されるとそれ以上の電線の進行を阻止することを特徴として有する。
【００１０】
本発明に係る電線接続器はこのような構成であるので、ねじ及びスライダは、ねじを回転すると両者の螺合部位で摩擦を生じつつ、スライダはねじの回転方向に応じてねじの軸方向に沿って往復動する。
【００１１】
またカムはスライダに両者の凸部および凹部を介して当接されており、スライダの移動方向に応じて時計回りに又は反時計回りに回動する。換言すれば、カムを回動するにはスライダが動かなければならない。
【００１２】
しかしスライダとねじとの螺合部位では既述のように摩擦抵抗が生じる。このため、スライダを動かすには摩擦抵抗以上に大きな外力がスライダに働かなければならず、スライダが動かなければスライダに当接しているカムも動かない。すなわちスライダに掛かる外力が摩擦抵抗以上なければカムは勝手に動かない。よってカムはスライダによって制動されていることになる。
【００１３】
また外力がスライダに作用するのは、ドライバでねじを回転させる場合だけではない。すなわちカムの側からスライダ側に外力が掛かる場合も否定できない。例えばカムの自重が外力となる場合が考えられる。この場合、カムの自重が前記スライダとねじとの螺合部位での摩擦抵抗よりも大きければ、スライダは動くことになる。
【００１４】
さらに、本発明では電線をハウジング内に導入する導入孔がカムで遮蔽されている場合を想定できるが、この状態で電線を導入孔に挿通すると、既述のように電線の進行が阻害されてしまう。
【００１５】
したがって、カムの自重がスライダとねじとの螺合部位での摩擦抵抗に打ち勝ってカムにより前記導入孔が勝手に閉塞されないよう、スライダとねじとの螺合部位での摩擦力を十分大きくとる必要がある。すなわち、カムの自重に起因した力がスライダに作用した場合でも、スライダが勝手に動かない大きさの摩擦抵抗を前記螺合部位で生じるように設定されていることが望ましい。
【００１６】
このようにすればカムが勝手に動かないようにできるので、カムが電線接続器の壁面や構成部材に当たらないようにできる。さらにカムにより電線挿通孔が遮られてしまうこともないので、電線挿通孔がカムに遮られているか否かを確認せずに、電線を挿通孔に通しても、撚り線又は細線の挿入が阻害されない。よって、電線を電線挿通孔に挿入しづらかったり、細線の一体性が損われるいわゆるばらけが生じたりするのを効果的に防止できる。
【発明の効果】
【００１７】
以上説明したように本発明によれば、カムが勝手に動かないので、カムにより電線接続器における電線挿通孔が遮られてしまうこともない。この結果、電線挿通孔に電線を挿通しても、撚り線又はこの撚り線を構成する細い電線の進行が阻害されない。この結果、電線を電線挿通孔に挿入しづらかったり、撚り線の細線における一体性が損われるいわゆるばらけが生じててしまったりするという弊害がない。
【発明を実施するための最良の形態】
【００１８】
次に、本発明に係る電線接続器の実施の形態を図面に基づいて説明する。
【００１９】
まず図１は、電子装置６４の一部としてパネル６４ａに組み込まれる電線接続器５０の側面図である。
【００２０】
図２は電線接続器５０の図１の正面図であり図１の矢印ＩＩ方向から見た図である。図３は電線接続器５０の平面図であり図１の矢印ＩＩＩ方向から見た図である。図４は図３のＩＶ−ＩＶ線に沿った拡大断面図である。
【００２１】
電線接続器５０は、これらの図からわかるように、電線接続器５０の外郭であるハウジング５３の内部空間５４に各種構成部材が組み込まれて構成されている。
【００２２】
電線接続器５０の各種構成部材としては、ハウジング５３内で回転軸５５ａを中心軸として時計回りに又は反時計回りに回転するが、軸方向への移動が抑制されているねじ５５と、ねじ５５と螺合し、ねじ５５の回転方向に応じてねじ５５をその軸方向において往復動するスライダ５７と、電線５９をハウジング５３内に導入する導入孔６１と、スライダ５７の移動方向に応じて回動し、所定の回動位置で前記電線５９を押圧するカム６３と、電子装置６４に配置された図４に示されているプリント基板（以下基板）６６に設けられた基板側端子６８に接合する接続器側端子７０とを有する。
【００２３】
ハウジング５３は、プラスチック等の樹脂からなる、容器状の基体２とその上部を覆うカバー体３とからなる。そして両者２，３を組み合わすことで前記内部空間５４が画成される。
【００２４】
内部空間５４は、大別して３つの空間部からなる。
【００２５】
図４に示すように、一つはカバー体３内に形成されている導入孔部５４ａであり、残り２つは基体２内における大部分を占める作動部５４ｂと、基体２内における残りの部分である端子接合部５４ｃである。
【００２６】
導入孔部５４ａは、ねじ５５を回転するためのドライバ７２を挿通するドライバ挿通孔７４と、電線５９をハウジング５３に導入する前記導入孔６１とを有する。両孔７４，６１はそれらの中心軸７４ａ，６１ａが平行になっている。また、ドライバ挿通孔７４の中心軸７４ａとねじ５５の中心軸５５ａとは同一である。これらの軸は便宜上図４にのみ示す。
【００２７】
作動部５４ｂは、ハウジング５３に組み込まれたインナーボディ５３ａに組み込まれたねじ５５，スライダ５７，カム６３，接続器側端子７０の主部７０ａ及びその他の関連部品が収納される空間部である。
【００２８】
端子接合部５４ｃは、基板側端子６８の一部分である接合部６８ａと、この接合部６８ａに接合する接続器側端子７０の一部分である接合部７０ｂとが接合される空間部である。この空間部を画成しているのが、図１，図３及び図４に符号６９で示す端子挿通筒である。
【００２９】
端子挿通筒６９には、電線接続器５０を電子装置６４に組み付けることで、電子装置６４の前記接続器側端子７０の前記接合部７０ｂが挿入されるようになっている。そしてこの結果、基板側端子６８及び接続器側端子７０がそれぞれの接合部６８ａ及び７０ｂで接触する。
【００３０】
なお、基板側端子６８は、電子装置６４の基板６６に設けられた複数の基板側端子支持筒７１により支持されている。また、基板側端子支持筒７１と電線接続器５０の端子挿通筒６９とは嵌合され、当該嵌合により既述したように基板側端子６８の接合部６８ａと接続器側端子７０の接合部７０ｂが接触する。
【００３１】
加えて図４に示すように基板側端子支持筒７１は、電子装置６４に電線接続器５０を組み付けるための係止片７３を有する。よってこの係止片７３に対応する係止腕５６が、図１及び図４に示すように電線接続器５０にも形成されている。
【００３２】
前記３つの空間部５４ａ，５４ｂ，５４ｃからなる内部空間５４は、図３から推察できるように、ハウジング５３内に複数（この実施の形態では６箇）形成されている。
【００３３】
図４〜図６に示すように、ねじ５５は、作動部５４ｂの壁面８０のうち図４に正対した場合の上壁から垂直に延びるごとき支持板８２に貫通された通し孔８４にばね座金８６及び平座金８８を介してすきまばめ状に挿通されている。またねじ５５の長さは、作動部５４ｂの長さ寸法の半分よりもいくらか長めである。そしてねじ５５にスライダ５７を螺合する前は、ねじ５５は、支持板８２に片持ち梁状に支持されている。
【００３４】
スライダ５７は、その中央に螺合孔５７ａが形成されている。またスライダ５７は、作動部５４ｂの内壁面に形成された溝５８に案内されてねじ５５の軸方向に沿って滑るようになっている。
【００３５】
またスライダ５７のうち、作動部５４ｂの中央側に位置する壁面５７ｂには縦断面で截頭円錐状の凸部８７が突出している。凸部８７のうちねじ５５のヘッド８９側の傾斜壁面９１とその反対側の傾斜壁面９３とにカム６３が鈎止するようになっている。鈎止については後で詳しく述べる。
【００３６】
また螺合孔５７ａとねじ５５との間の摩擦力は、カム６３の自重に起因した力がスライダ５７に作用した場合でも、スライダ５７が勝手に動かない大きさの摩擦抵抗を生じる大きさであると好適である。
【００３７】
導入孔６１は、作動部５４ｂの壁面８０のうち図４に正対した状態で下壁側に形成された貫通孔である。この導入孔６１の上方部にドライバ挿通孔７４が位置する。
【００３８】
カム６３は作動部５４ｂをあたかも横断するようにハウジング５３に橋渡し状に設けられた回転軸４０によりインナーボディ５３ａ内で自在に回転できるようになっている。そしてカム６３は、電線５９を押圧する押圧部９０と、スライダ５７の凸部８７と鈎止する鈎止爪９２，９４を有して凸部８７の頂部を内包するごとき凹部９６と、ハウジング５３内に案内されてきた電線５９の進行が所定量に達するとその進行を阻止するためのストッパ９８とを有する。
【００３９】
ねじ５５がドライバ７２により回転されることによりスライダ５７が図４における最も左側に位置する。そして、このときにストッパ９８は、接続器側端子７０の主部７０ａの一部であって導入孔６１と連続した状態で作動部５４ｂに配置されている電線収納部７０ａ１の後側（導入孔６１の対向側）に位置し、電線５９のそれ以上の進行を阻止する。電線収納部７０ａ１は導入孔６１の延長部位でもあるので電線収納部７０ａ１を導入孔ということもできる。
【００４０】
またカム６３の両側壁面には、図７に示すようにインナーボディ５３ａの内面に当接する支持突起９７が複数（この実施形態では４つ）形成されている。支持突起９７は、インナーボディ５３ａに対してカム６３の安定した回動を確保するためのものである。
【００４１】
接続器側端子７０は、図４に示すように、作動部５４ｂにおいてカム６３を境に上下方向においてねじ５５のある側と反対側に設けられている。
【００４２】
接続器側端子７０の主部７０ａの先端部には、図４に示すように、導入孔６１を介して導入される電線５９を収納する電線収納部７０ａ１が形成されている。電線収納部７０ａ１は横断面でＵ字形をし、図４に正対した状態で上方に開口する。また収納部７０ａの底面には電線外れ防止用突起１００が形成されている。
【００４３】
次に本実施形態の作用効果を説明する。
【００４４】
電線接続器５０を用いて電線５９をクランプするには、ドライバ挿通孔７４にドライバ７２を挿通し、ねじ５５を回転し、図４及び図６に示すようにカム６３の押圧部９０が電線収納部７０ａ１の上方に位置するまで回転させる。
【００４５】
するとスライダ５７が溝５８に案内されて後退、すなわち図４に正対してその左側に移動する。またスライダ５７の移動に伴いカム６３をその回転軸４０を中心に反時計回りに回動する。このときカム６３は、その鈎止片９２がスライダ５７の截頭円錐状の凸部８７の壁面９３に当接して鈎止状態にあり、壁面９１と鈎止片９４とはわずかに離れた状態にある。
【００４６】
そして、ドライバ操作によるねじ５５の回転によりスライダ５７が図５に示すように右側に移動すると、それに伴いカム６３が時計回りに回転し、接続器側端子７０の電線収納部７０ａ１は、押圧部９０によって閉じられた状態になる。
【００４７】
なお、押圧部９０によって電線収納部７０ａ１が閉じられた状態になるときにカム６３の鈎止片９２と当接するスライダ５７の凸部８７の構成面である壁面９３をスライダ５７の復路側の壁面といい、反対側の壁面９１を往路側の壁面といってもよい。
【００４８】
また、ドライバ操作によるねじ５５の回転によりカム６３を反時計回りに回動すると、押圧部９０によって閉じられていた前記電線収納部７０ａ１は開き、導入孔６１に電線５９を挿入する準備が整う。このときカム６３のストッパ９８が電線収納部７０ａ１の後側（導入孔６１の対向側）に位置し、電線５９の進行を阻止する。そして電線５９はストッパ９８に当接するまで挿入される。この挿入量は、結線実行上好適な挿入量とされているのはいうまでもない。
【００４９】
電線５９の電線収納部７０ａ１への挿入後、今度はねじ５５を先ほどとは逆方向に回転しカム６３を時計回りに回転しカム６３の押圧部９０で電線５９を押圧する。この結果、押圧部９０と前記電線外れ防止用突起１００との間で電線５９が狭持され、電線５９の電線接続器５０からの抜けが防止される。
【００５０】
反対に電線５９を電線接続器５０から外すときは、カム６３が反時計回りに回転するようにねじ５５を回転し、押圧部９０による電線５９の押圧を解除する。
【００５１】
また、ねじ５５及びスライダ５７は、ねじ５５を回転すると両者の螺合部位で摩擦を生じつつ、スライダ５７はねじ５５の回転方向に応じてねじ５５の軸方向に沿って往復動する。
【００５２】
またカム６３はスライダ５７に当接されており、スライダ５７の移動方向に応じて時計回りに又は反時計回りに回動する。換言すれば、カム６３の回動にはスライダ５７が動かなければならない。
【００５３】
しかしスライダ５７とねじ５５との螺合部位では既述のように摩擦抵抗が生じる。このため、スライダ５７を動かすには摩擦抵抗以上に大きな外力がスライダ５７に働かなければならず、スライダ５７が動かなければスライダ５７に当接しているカム６３も動かない。すなわちスライダ５７に掛かる外力が摩擦抵抗以上なければカム６３は勝手に動かない。よってカム６３はスライダ５７によって制動されていることになる。
【００５４】
また外力がスライダ５７に作用するのは、ドライバ７２でねじ５５を回転させる場合だけではない。すなわちカム６３の側からスライダ側に外力が掛かる場合も否定できない。例えばカム６３の自重が外力となる場合が考えられる。この場合、カム６３からスライダ５７に掛かる力がスライダ５７とねじ５５との螺合部位での摩擦抵抗よりも大きければ、スライダ５７は動くことになる。
【００５５】
さらに、電線収納部７０ａ１がカム６３で遮蔽されている場合を想定できるが、この状態で電線５９を電線収納部７０ａ１に挿通すると、既述のように電線５９の進行が阻害されてしまう。
【００５６】
したがって、カム６３の自重がスライダ５７とねじ５５との螺合部位での摩擦抵抗に打ち勝ってカム６３により前記電線収納部７０ａ１が勝手に閉塞されないよう、スライダ５７とねじ５５との螺合部位での摩擦力を十分大きくとる必要がある。このようにすればカム６３が勝手に動かないようにできるので、カム６３が電線接続器５０の壁面や構成部材に当たらないようにできる。さらに電線５９が電線収納部７０ａに挿入される前にカム６３により電線収納部７０ａ１が遮られてしまうこともない。よって、電線収納部７０ａ１がカム６３に遮られているか否かを確認せずに、電線５９を導入孔６１に通しても、撚り線又は細線の進行が阻害されない。よって、電線５９を電線収納部７０ａ１に挿入しづらかったり、細線の一体性が損われるいわゆるばらけが生じたりするのを効果的に防止できる。
【図面の簡単な説明】
【００５７】
【図１】本発明に係る電線接続器の側面図である。
【図２】本発明に係る電線接続器の正面図である。
【図３】本発明に係る電線接続器の平面図である。
【図４】図３のＩＶ−ＩＶ線断面図である。
【図５】本発明に係る電線接続器の電線挿通孔に電線を挿通した状態であって電線をカムにて未だクランプしていない状態を示す図である。
【図６】図５の状態で電線をクランプした状態を示す図である。
【図７】図６のＶＩＩ−ＶＩＩ線断面図である。
【符号の説明】
【００５８】
２ 基体
３ カバー体
４０ 回転軸
５０ 電線接続器
５３ ハウジング
５３ａ インナーボディ
５４ 内部空間
５４ａ 導入孔部
５４ｂ 作動部
５４ｃ 端子接合部
５５ ねじ
５５ａ 中心軸（回転軸）
５６ 係止腕
５７ スライダ
５７ａ 螺合孔
５７ｂ 壁面
５８ 溝
５９ 電線
６１ 導入孔
６３ カム
６４ 電子装置
６４ａ パネル
６６ 基板
６８ 前記基板側端子
６８ 基板側端子
６８ａ 接合部
６９ 端子挿通筒
７０ 接続器側端子
７０ａ 主部
７０ａ 前記電線収納部
７０ａ１ 電線収納部
７０ｂ 接合部
７１ 接続器側端子支持筒
７２ ドライバ
７３ 係止片
７４ ドライバ挿通孔
７４ａ 中心軸
８０ 壁面
８２ 支持板
８４ 孔
８６ ばね座金
８７ 凸部
８８ 平座金
８９ ヘッド
９０ 押圧部
９１ 壁面（往路側の壁面）
９２ 鈎止片
９３ 壁面（復路側の壁面）
９４ 鈎止片
９６ 凹部
９７ 支持突起
９８ ストッパ
１００ 防止用突起
【図１】
2008053238.tif 000003
【図２】
2008053238.tif 000004
【図３】
2008053238.tif 000005
【図４】
2008053238.tif 000006
【図５】
2008053238.tif 000007
【図６】
2008053238.tif 000008
【図７】
2008053238.tif 000009